(57)【特許請求の範囲】
【請求項１】
扉に固着されるハンドルベースと、前記ハンドルベースに回転可能に挿通されるハンドル軸に回動軸を介して前記ハンドルベースに対して起伏回動可能に装着されるハンドルレバーと、前記ハンドルベースの背面側に前記ハンドル軸を介して回転可能に取り付けられ、ボックス本体などの固定枠体側の受け金に対して係脱可能な止め金とを備え、扉の開閉時に前記ハンドルレバーを前記ハンドルベースから引き起こして回動操作することにより前記止め金を前記受け金に対して係脱し、扉を閉めた後は前記ハンドルレバーを前記ハンドルベース上に倒伏して収納する形式の扉用ロックハンドル装置において、
前記ハンドルレバーに配設され、複数のダイヤル円盤の回転操作により、前記各ダイヤル円盤の外周面に付された符号を予め設定された解錠符号列とは異なる符号列にすることにより前進状態のラッチが錠止位置でロックされて施錠状態となり、前記各ダイヤル円盤の各符号を解錠符号列に整列することにより前記前進状態のラッチのロックが解除されて前記ラッチが前記錠止位置から後退可能な解錠状態になる形式のダイヤル錠と、
前記ハンドルレバーに配設され、所定の鍵をロータの鍵孔に挿入し前記ロータを施錠方向に回転操作することによりロック部材が錠止位置に前進されて施錠状態となり、前記鍵で前記ロータを解錠方向に回転操作することにより前記ロック部材が錠止位置から後退されて解錠状態となる形式のシリンダー錠と、
を備え、
前記ハンドルベースと前記ハンドルレバーとの間でかつ前記ダイヤル錠と前記シリンダー錠との間に、前記ダイヤル錠のラッチ及び前記シリンダー錠のロック部材の錠止位置を取り、
当該錠止位置に、前記ハンドルベース側に固定されて設置され、前記ダイヤル錠の前記ラッチに対向する側に、前記ハンドルレバーの引き起こし操作又は倒伏操作による前記ハンドルレバーの動きに伴って前記前進状態のラッチを後退方向と前進方向に順次移動案内して係脱可能なラッチ係合部を有し、前記シリンダー錠の前記ロック部材に対向する側に、前記ロック部材の前進後退動作により前記ロック部材を係脱可能なロック部材係合部を有する、前記ダイヤル錠及び前記シリンダー錠に共通のロックパーツを備え、
前記ハンドルベースに収納された前記ハンドルレバーを前記ダイヤル錠と前記シリンダー錠とにより２重にロックし、前記ダイヤル錠と前記シリンダー錠の両方を解錠操作することで前記ハンドルレバーのロックを解除する２重ロック形式とする、
ことを特徴とする扉用ロックハンドル装置。
【請求項２】
ロックパーツは、板状のブロックからなり、基端部がハンドルベースへの取付部、先端部がラッチの係脱側の端部で、ラッチ係合部は、先端部に断面略台形又は断面略三角形又はこれらの形状に近似する曲面状に形成され、前進状態のラッチを後退方向と前進方向に移動案内可能なラッチガイド部と、前記ラッチガイド部の基端部側に隣接して略凹状に形成され、前進状態のラッチが係合可能なラッチ係止部とからなり、ロック部材係合部は、ロック部材が嵌合可能なロック溝が形成されてなる請求項１に記載の扉用ロックハンドル装置。
【請求項３】
扉に固着されるハンドルベースと、前記ハンドルベースに回転可能に挿通されるハンドル軸に回動軸を介して前記ハンドルベースに対して起伏回動可能に装着されるハンドルレバーと、前記ハンドルベースの背面側に前記ハンドル軸を介して回転可能に取り付けられ、ボックス本体などの固定枠体側の受け金に対して係脱可能な止め金とを備え、扉の開閉時に前記ハンドルレバーを前記ハンドルベースから引き起こして回動操作することにより前記止め金を前記受け金に対して係脱し、扉を閉めた後は前記ハンドルレバーを前記ハンドルベース上に倒伏して収納する形式の扉用ロックハンドル装置において、
前記ハンドルレバーに配設され、複数のダイヤル円盤の回転操作により、前記各ダイヤル円盤の外周面に付された符号を予め設定された解錠符号列とは異なる符号列にすることにより前進状態のラッチが錠止位置でロックされて施錠状態となり、前記各ダイヤル円盤の各符号を解錠符号列に整列することにより前記前進状態のラッチのロックが解除されて前記ラッチが前記錠止位置から後退可能な解錠状態になる形式のダイヤル錠と、
前記ハンドルレバーに配設され、所定の鍵をロータの鍵孔に挿入し前記ロータを施錠方向に回転操作することによりロック部材が錠止位置に前進されて施錠状態となり、前記鍵で前記ロータを解錠方向に回転操作することにより前記ロック部材が錠止位置から後退されて解錠状態となる形式のシリンダー錠と、
を備え、
前記ハンドルベースと前記ハンドルレバーとの間でかつ前記ダイヤル錠と前記シリンダー錠との間に、前記ダイヤル錠のラッチ及び前記シリンダー錠のロック部材の錠止位置を取り、
当該錠止位置に、
前記ハンドルベース側に固定されて設置され、前記ダイヤル錠の前記ラッチに対向する側に、前記ハンドルレバーの引き起こし操作又は倒伏操作による前記ハンドルレバーの動きに伴って前記前進状態のラッチを後退方向と前進方向に順次移動案内して係脱可能なラッチ係合部を有し、前記シリンダー錠の前記ロック部材に対向する側に、前記ロック部材の前進後退動作により前記ロック部材を係脱可能なロック部材係合部を有する、前記ダイヤル錠及び前記シリンダー錠に共通のロックパーツと、
前記ハンドルベース側に基端部を枢支され、ばね部材により先端部側が前記シリンダー錠方向に回動付勢されて設置され、前記ダイヤル錠の前記ラッチに対向する側に、前記ラッチが当接可能なラッチ係合部を有し、前記シリンダー錠のロック部材に対向する側に、前記ロック部材の前進後退動作により前記ロック部材を係脱可能でかつ前記ハンドルレバーの引き起こし操作又は倒伏操作による前記ハンドルレバーの動きに伴って前進状態の前記ロック部材を基端部側から先端部方向へ又はその反対へ移動案内するとともに前進状態の前記ロック部材により前記ダイヤル錠の前記ラッチに向けて押圧されるロック部材係合部を有する、前記ダイヤル錠及び前記シリンダー錠に共通のロックレバーと、
２種類のオプション部品を備え、
当該施錠位置に前記ロックパーツを取り付けることにより、前記ハンドルベースに収納された前記ハンドルレバーを前記ダイヤル錠と前記シリンダー錠とにより２重にロックし、前記ダイヤル錠と前記シリンダー錠の両方を解錠操作することにより前記ハンドルレバーのロックを解除する形式に構成され、
当該施錠位置に前記ロックレバーを取り付けることにより、前記ハンドルベースと前記ハンドルレバーとを前記ダイヤル錠と前記シリンダー錠によりロックし、前記ダイヤル錠又は前記シリンダー錠のいずれか一方を解錠操作することにより前記ハンドルレバーのロックを解除する形式に構成される、
ことを特徴とする扉用ロックハンドル装置。
【請求項４】
ロックパーツは、板状のブロックからなり、基端部がハンドルベースへの取付部、先端部がラッチの係脱側の端部で、ラッチ係合部は、先端部に断面略台形又は断面略三角形又はこれらの形状に近似する曲面状に形成され、ハンドルレバーの引き起こし時又は倒伏時に前進状態のラッチを後退方向と前進方向に移動案内可能なラッチガイド部と、前記ラッチガイド部の基端部側に隣接して略凹状に形成され、ハンドルレバーの倒伏時に前進状態のラッチが係合可能なラッチ係止部とからなり、ロック部材係合部は、ハンドルレバーの倒伏時に前進状態のロック部材が嵌合可能なロック溝が形成されてなる請求項３に記載の扉用ロックハンドル装置。
【請求項５】
ロックレバーは、板状のブロックからなり、基端部がハンドルベースへの枢支部、先端部が回動側の端部で、ラッチ係合部は、ハンドルレバーの倒伏時に前進状態のラッチが当接可能な略平面状に形成されてなり、ロック部材係合部は、ハンドルレバーの倒伏時に前進状態のロック部材が嵌合可能なロック溝と、前記ロック溝の先端部側の面に前記溝を拡開する方向に斜めに形成されて、ハンドルレバーの引き起こし時に前進状態の前記ロック部材を先端部方向に案内するとともに前進状態の前記ロック部材でダイヤル錠のラッチに向けて押圧可能なカム傾斜面と、前記カム傾斜面に連続し先端部方向に向けて前記ラッチ係合部から漸次離れる方向に斜めに形成されて、ハンドルレバーの引き起こし時に前進状態の前記ロック部材を先端部方向に案内するとともに前進状態の前記ロック部材で前記ダイヤル錠の前記ラッチに向けて押圧可能な傾斜面とからなる請求項３に記載の扉用ロックハンドル装置。
【発明の詳細な説明】
【技術分野】
【０００１】
本発明は、サーバーラックその他通信機器や電気設備などを格納する各種のキャビネットなどに使用する扉用ロックハンドル装置に関する。
【背景技術】
【０００２】
この種の扉用ロックハンドル装置は、一般に、扉に固着されるハンドルベースと、ハンドルベースに回転可能に挿通されるハンドル軸に回動軸を介してハンドルベースに対して起伏回動可能に装着されるハンドルレバーと、ハンドルベースの背面側にハンドル軸を介して回転可能に取り付けられ、ハンドルレバーの操作により、ボックス本体などの固定枠体側の受け金に対して係脱可能な止め金とを備え、扉の開閉時にハンドルレバーをハンドルベースから引き起こして回動操作することにより止め金を受け金に対して係脱し、扉を閉めた後はハンドルレバーをハンドルベース上に倒伏して収納する形式を採っている。
また、この種の扉用ロックハンドル装置では、ハンドルベース又はハンドルレバーに、ハンドルレバー側又はハンドルベース側の受け部に係脱可能なロック部材を有するシリンダー錠が組み込まれ、ハンドルベース上にハンドルレバーを収納した状態で、鍵をシリンダー錠の鍵穴に挿入し所定の施錠方向に回転操作することにより、ハンドルレバーを施錠し、鍵を所定の解錠方向に回転操作することにより、ハンドルレバーを解錠するようにしたものが知られている。
【０００３】
従前、この種の扉用ロックハンドル装置を使用するユーザーから、キャビネット管理の容易化を目的として、マスターロック機能の錠システムの提供（マスターキーとして同一番号に設定された鍵を管理者が管理し、管理者又は管理者から委託を受けた者が当該鍵によって多数のすべてのキャビネットを開放できること）と、セキュリティの強化を目的として、ダブルロック機能の錠システムの提供（異なる２個の鍵を同時に操作しないと対象物を解錠できないこと）の要望があり、本願発明者は、これらの要望に応えるべく、２個のシリンダー錠を使用した扉用ロックハンドル装置を提案した。このロックハンドル装置が特許文献１により開示されている。
【０００４】
この扉用ロックハンドル装置では、図５に示すように、ハンドルレバー１２０の自由端寄りにあるハンドルベース１１０の部分に第１のシリンダー錠１１１を設け、屈曲先端部１１２がハンドルレバー１２０の自由端に向けて前進した位置と当該自由端から後退した位置との間を移動するクランクロックプレート１１３を第１のシリンダー錠１１１のロータ１１４に連動装備し、ハンドルレバー１２０の自由端の近傍部分に第２のシリンダー錠１２１を設け、ハンドルレバー１２０のガイド溝１２３の一端開口から突出する位置と他端開口から突出する位置との間を移動するロングロックプレート１２２を第２のシリンダー錠１２１のロータ１２４に連動装備した。そして、この場合、ハンドルベース１１０の内底壁部にハンドル受座１１５又は電気錠ユニットを設け、扉の閉鎖施錠状態においては、第２のシリンダー錠１２１が施錠状態にあって、ロングロックプレート１２２のプレート先端部をハンドル受座１１５の係止爪部又は電気錠ユニットのプランジャー先端の錠止爪部に係合させて、ハンドルレバー１２０を収納位置に拘束保持するようにし、第２のシリンダー錠１２１を解錠状態にしたときに、ロングロックプレート１２２のプレート基端部をクランクロックプレート１１３の屈曲先端部１１２の背面側に係合させることによって、ハンドルレバー１２０の拘束状態を堅持するようにした。このようにして、ハンドルレバー１２０の拘束を解除するのに、第１のシリンダー錠１１１と第２のシリンダー錠１２１を共に解錠操作することが必要な、ダブルロック機能を持たせることができる。
また、ハンドルベース１１０の内底壁部にハンドル受座１１５と電気錠ユニットのどちらも設けていない場合は、第２のシリンダー錠１２１のロングロックプレート１２２のプレート先端部が施錠機能においては無効化される。そして、扉の閉鎖施錠状態においては、第２のシリンダー錠１２１が施錠状態にあって、ロングロックプレート１２２のプレート基端部が、同じく施錠状態にある第１のシリンダー錠１１１のクランクロックプレート１１３の屈曲先端部１１２の背面側に係合して、ハンドルレバー１２０を収納位置に拘束保持するので、ハンドルレバー１２０の拘束を解除するには、第２のシリンダー錠１２１を解錠操作して、ロングロックプレート１２２のプレート基端部をクランクロックプレート１１３の屈曲先端部１１２から離脱させるか、あるいは、第１のシリンダー錠１１１を解錠操作して、クランクロックプレート１１３の屈曲先端部１１２をロングロックプレート１２２のプレート基端部から離脱させるかすればよい。このように第１のシリンダー錠１１１と第２のシリンダー錠１２１のどちらか一方を解錠操作すれば、ハンドルレバー１２０の拘束を解除できるようにして、どちらか一方のシリンダー錠を通常使用する錠とし、他方のシリンダー錠をマスターロック用の錠として選定し、前者の鍵を多数の鍵違い番号に設定し、後者の鍵を同一番号に設定することによって、豊富な鍵違い数のあるマスターロック機能を持たせることができる。
【先行技術文献】
【特許文献】
【０００５】
【特許文献１】特開２００８−１４０３７公報
【発明の概要】
【発明が解決しようとする課題】
【０００６】
ところで、この種の扉用ロックハンドル装置では、装着対象の機器における内部スペース上の制約、あるいは対象機器の設置箇所における外部スペース上の制約から、ハンドルベースの扉後面側への突出量、あるいはハンドルレバーの扉前面側への突出量を極力減らすように要請されることがあり、このような要請に対応するためには、ハンドルレバーの厚さやハンドルベースの奥行き寸法を小さくして、装置全体を薄型に構成する必要があるが、この場合、ハンドルレバーやハンドルベースに組み込まれるシリンダー錠も薄型のものとならざるを得ず、薄型のシリンダー錠では、内部錠機構として組み込まれるディスクタンブラやピンタンブラのセット数が少なくなるために、得られる鍵違いの数も自ずから限定されたものとなる、という問題がある。
【０００７】
本発明は、このような従来の問題を解決するもので、この種の扉用ロックハンドル装置において、装置全体を薄型に構成しても極めて多数の鍵違いを容易に得ることができ、また、セキュリティの強化を目的として、ダブルロック機能の錠システムの提供（異なる２個の鍵を同時に操作しないと対象物を解錠できないこと）、又はキャビネット管理の容易化を目的として、マスターロック機能の錠システムの提供（マスターキーとして同一番号に設定された鍵を管理者が管理し、管理者又は管理者から委託を受けた者が当該鍵によって多数のすべてのキャビネットを開放できること）の要望に選択的に対応できるようにすること、を目的とする。
【課題を解決するための手段】
【０００８】
上記目的を達成するために、本発明（１）は、扉に固着されるハンドルベースと、前記ハンドルベースに回転可能に挿通されるハンドル軸に回動軸を介して前記ハンドルベースに対して起伏回動可能に装着されるハンドルレバーと、前記ハンドルベースの背面側に前記ハンドル軸を介して回転可能に取り付けられ、ボックス本体などの固定枠体側の受け金に対して係脱可能な止め金とを備え、扉の開閉時に前記ハンドルレバーを前記ハンドルベースから引き起こして回動操作することにより前記止め金を前記受け金に対して係脱し、扉を閉めた後は前記ハンドルレバーを前記ハンドルベース上に倒伏して収納する形式の扉用ロックハンドル装置において、前記ハンドルレバーに配設され、複数のダイヤル円盤の回転操作により、前記各ダイヤル円盤の外周面に付された符号を予め設定された解錠符号列とは異なる符号列にすることにより前進状態のラッチが錠止位置でロックされて施錠状態となり、前記各ダイヤル円盤の各符号を解錠符号列に整列することにより前記前進状態のラッチのロックが解除されて前記ラッチが前記錠止位置から後退可能な解錠状態になる形式のダイヤル錠と、前記ハンドルレバーに配設され、所定の鍵をロータの鍵孔に挿入し前記ロータを施錠方向に回転操作することによりロック部材が錠止位置に前進されて施錠状態となり、前記鍵で前記ロータを解錠方向に回転操作することにより前記ロック部材が錠止位置から後退されて解錠状態となる形式のシリンダー錠とを備え、前記ハンドルベースと前記ハンドルレバーとの間でかつ前記ダイヤル錠と前記シリンダー錠との間に、前記ダイヤル錠のラッチ及び前記シリンダー錠のロック部材の錠止位置を取り、当該錠止位置に、前記ハンドルベース側に固定されて設置され、前記ダイヤル錠の前記ラッチに対向する側に、前記ハンドルレバーの引き起こし操作又は倒伏操作による前記ハンドルレバーの動きに伴って前記前進状態のラッチを後退方向と前進方向に順次移動案内して係脱可能なラッチ係合部を有し、前記シリンダー錠の前記ロック部材に対向する側に、前記ロック部材の前進後退動作により前記ロック部材を係脱可能なロック部材係合部を有する、前記ダイヤル錠及び前記シリンダー錠に共通のロックパーツを備え、前記ハンドルベースに収納された前記ハンドルレバーを前記ダイヤル錠と前記シリンダー錠とにより２重にロックし、前記ダイヤル錠と前記シリンダー錠の両方を解錠操作することで前記ハンドルレバーのロックを解除する２重ロック形式とする、ことを要旨とする。
この場合、ロックパーツは、板状のブロックからなり、基端部がハンドルベースへの取付部、先端部がラッチの係脱側の端部で、ラッチ係合部は、先端部に断面略台形又は断面略三角形又はこれらの形状に近似する曲面状に形成され、前進状態のラッチを後退方向と前進方向に移動案内可能なラッチガイド部と、前記ラッチガイド部の基端部側に隣接して略凹状に形成され、前進状態のラッチが係合可能なラッチ係止部とからなり、ロック部材係合部は、ロック部材が嵌合可能なロック溝が形成されてなることが好ましい。
【０００９】
上記目的を達成するために、本発明（２）は、扉に固着されるハンドルベースと、前記ハンドルベースに回転可能に挿通されるハンドル軸に回動軸を介して前記ハンドルベースに対して起伏回動可能に装着されるハンドルレバーと、前記ハンドルベースの背面側に前記ハンドル軸を介して回転可能に取り付けられ、ボックス本体などの固定枠体側の受け金に対して係脱可能な止め金とを備え、扉の開閉時に前記ハンドルレバーを前記ハンドルベースから引き起こして回動操作することにより前記止め金を前記受け金に対して係脱し、扉を閉めた後は前記ハンドルレバーを前記ハンドルベース上に倒伏して収納する形式の扉用ロックハンドル装置において、前記ハンドルレバーに配設され、複数のダイヤル円盤の回転操作により、前記各ダイヤル円盤の外周面に付された符号を予め設定された解錠符号列とは異なる符号列にすることにより前進状態のラッチが錠止位置でロックされて施錠状態となり、前記各ダイヤル円盤の各符号を解錠符号列に整列することにより前記前進状態のラッチのロックが解除されて前記ラッチが前記錠止位置から後退可能な解錠状態になる形式のダイヤル錠と、前記ハンドルレバーに配設され、所定の鍵をロータの鍵孔に挿入し前記ロータを施錠方向に回転操作することによりロック部材が錠止位置に前進されて施錠状態となり、前記鍵で前記ロータを解錠方向に回転操作することにより前記ロック部材が錠止位置から後退されて解錠状態となる形式のシリンダー錠とを備え、前記ハンドルベースと前記ハンドルレバーとの間でかつ前記ダイヤル錠と前記シリンダー錠との間に、前記ダイヤル錠のラッチ及び前記シリンダー錠のロック部材の錠止位置を取り、当該錠止位置に、前記ハンドルベース側に固定されて設置され、前記ダイヤル錠の前記ラッチに対向する側に、前記ハンドルレバーの引き起こし操作又は倒伏操作による前記ハンドルレバーの動きに伴って前記前進状態のラッチを後退方向と前進方向に順次移動案内して係脱可能なラッチ係合部を有し、前記シリンダー錠の前記ロック部材に対向する側に、前記ロック部材の前進後退動作により前記ロック部材を係脱可能なロック部材係合部を有する、前記ダイヤル錠及び前記シリンダー錠に共通のロックパーツと、前記ハンドルベース側に基端部を枢支され、ばね部材により先端部側が前記シリンダー錠方向に回動付勢されて設置され、前記ダイヤル錠の前記ラッチに対向する側に、前記ラッチが当接可能なラッチ係合部を有し、前記シリンダー錠のロック部材に対向する側に、前記ロック部材の前進後退動作により前記ロック部材を係脱可能でかつ前記ハンドルレバーの引き起こし操作又は倒伏操作による前記ハンドルレバーの動きに伴って前進状態の前記ロック部材を基端部側から先端部方向へ又はその反対へ移動案内するとともに前進状態の前記ロック部材により前記ダイヤル錠の前記ラッチに向けて押圧されるロック部材係合部を有する、前記ダイヤル錠及び前記シリンダー錠に共通のロックレバーと、２種類のオプション部品を備え、当該施錠位置に前記ロックパーツを取り付けることにより、前記ハンドルベースに収納された前記ハンドルレバーを前記ダイヤル錠と前記シリンダー錠とにより２重にロックし、前記ダイヤル錠と前記シリンダー錠の両方を解錠操作することにより前記ハンドルレバーのロックを解除する形式に構成され、当該施錠位置に前記ロックレバーを取り付けることにより、前記ハンドルベースと前記ハンドルレバーとを前記ダイヤル錠と前記シリンダー錠によりロックし、前記ダイヤル錠又は前記シリンダー錠のいずれか一方を解錠操作することにより前記ハンドルレバーのロックを解除する形式に構成される、ことを要旨とする。
この場合、ロックパーツは、板状のブロックからなり、基端部がハンドルベースへの取付部、先端部がラッチの係脱側の端部で、ラッチ係合部は、先端部に断面略台形又は断面略三角形又はこれらの形状に近似する曲面状に形成され、ハンドルレバーの引き起こし時又は倒伏時に前進状態のラッチを後退方向と前進方向に移動案内可能なラッチガイド部と、前記ラッチガイド部の基端部側に隣接して略凹状に形成され、ハンドルレバーの倒伏時に前進状態のラッチが係合可能なラッチ係止部とからなり、ロック部材係合部は、ハンドルレバーの倒伏時に前進状態のロック部材が嵌合可能なロック溝が形成されてなることが好ましい。
また、ロックレバーは、板状のブロックからなり、基端部がハンドルベースへの枢支部、先端部が回動側の端部で、ラッチ係合部は、ハンドルレバーの倒伏時に前進状態のラッチが当接可能な略平面状に形成されてなり、ロック部材係合部は、ハンドルレバーの倒伏時に前進状態のロック部材が嵌合可能なロック溝と、前記ロック溝の先端部側の面に前記溝を拡開する方向に斜めに形成されて、ハンドルレバーの引き起こし時に前進状態の前記ロック部材を先端部方向に案内（し、ハンドルレバーの倒伏時はその反対に案内）するとともに前進状態の前記ロック部材でダイヤル錠のラッチに向けて押圧可能なカム傾斜面と、前記カム傾斜面に連続し先端部方向に向けて前記ラッチ係合部から漸次離れる方向に斜めに形成されて、ハンドルレバーの引き起こし時に前進状態の前記ロック部材を先端部方向に案内（し、ハンドルレバーの倒伏時はその反対に案内）するとともに前進状態の前記ロック部材で前記ダイヤル錠の前記ラッチに向けて押圧可能な傾斜面とからなることが好ましい。
【発明の効果】
【００１０】
本発明の扉用ロックハンドル装置（１）によれば、扉の開閉時にハンドルレバーをハンドルベースから引き起こして回動操作することにより止め金を固定枠側の受け金に対して係脱し、扉を閉めた後はハンドルレバーをハンドルベース上に倒伏して収納する形式の扉用ロックハンドル装置において、ハンドルレバーにダイヤル錠とシリンダー錠とを配設し、ハンドルベースとハンドルレバーとの間でかつダイヤル錠とシリンダー錠との間に、ダイヤル錠のラッチ及びシリンダー錠のロック部材の錠止位置を取り、この錠止位置にロックパーツをハンドルベース側に固定して設置することにより、ハンドルベースに収納されたハンドルレバーをダイヤル錠とシリンダー錠とにより２重にロックし、ダイヤル錠とシリンダー錠の両方を解錠操作することによりハンドルレバーのロックを解除する形式に構成するので、ダイヤル錠及びシリンダー錠に簡単な形状、構造のロックパーツを用いるだけで、比較的容易に、確実なダブルロック機能を有するハンドル装置を実現することができる。そして、このようにしてダイヤル錠とシリンダー錠とを関連付けてハンドルレバーに組み込むことで、装置全体を薄型に構成しても極めて多数の鍵違いを容易に得ることができ、また、セキュリティの強化を目的として、ダブルロック機能の錠システムの提供（異なる２個の鍵を同時に操作しないと対象物を解錠できないこと）の要望にも対応することができる。
【００１１】
また、このハンドル装置（２）によれば、扉の開閉時にハンドルレバーをハンドルベースから引き起こして回動操作することにより止め金を固定枠側の受け金に対して係脱し、扉を閉めた後はハンドルレバーをハンドルベース上に倒伏して収納する形式の扉用ロックハンドル装置において、ハンドルレバーにダイヤル錠とシリンダー錠とを配設し、ハンドルベースとハンドルレバーとの間でかつダイヤル錠とシリンダー錠との間に、ダイヤル錠のラッチ及びシリンダー錠のロック部材の錠止位置を取り、当該錠止位置にオプション部品のロックパーツをハンドルベース側に固定して設置することにより、ハンドルベースに収納されたハンドルレバーをダイヤル錠とシリンダー錠とにより２重にロックし、ダイヤル錠とシリンダー錠の両方を解錠操作することによりハンドルレバーのロックを解除する形式に構成し、当該錠止位置にオプション部品のロックレバーを、その基端部をハンドルベース側に枢支し、先端部側をばね部材によりシリンダー錠方向に回動付勢して設置し、ハンドルベースとハンドルレバーとをダイヤル錠とシリンダー錠によりロックし、ダイヤル錠又はシリンダー錠のいずれか一方を解錠操作することによりハンドルレバーのロックを解除する形式に構成するようにしたので、一つの扉用ロックハンドル装置に、最少のオプション部品を変更するだけで、ダブルロック機能とシングルロック機能を選択的に持たせることができ、これによりハンドル装置全体の多くの部品を共通化して、コストの低減を図ることができる。そして、このようにしてダイヤル錠とシリンダー錠とを関連付けてハンドルレバーに組み込むことで、装置全体を薄型に構成しても極めて多数の鍵違いを容易に得ることができ、また、セキュリティの強化を目的として、ダブルロック機能の錠システムの提供（異なる２個の鍵を同時に操作しないと対象物を解錠できないこと）の要望と、キャビネット管理の容易化を目的として、マスターロック機能の錠システムの提供（マスターキーとして同一番号に設定された鍵を管理者が管理し、管理者又は管理者から委託を受けた者が当該鍵によって多数のすべてのキャビネットを開放できること）の要望に選択的に対応することができる。
【図面の簡単な説明】
【００１２】
【図１】本発明の一実施の形態における扉用ロックハンドル装置の正面図
【図２】同ハンドル装置をダブルロック形式に構成した場合の側面断面図
【図３】同ハンドル装置を非常時解錠形式（シングルロック形式）に構成した場合の側面断面図
【図４】同ハンドル装置（ダブルロック形式の場合）の動作を示す断面図（（１）はハンドルレバーの倒伏、収納時の動作（２）はハンドルレバーの引き起こし回転時の動作）
【図５】錠来の扉用ロックハンドル装置の側面断面図
【発明を実施するための形態】
【００１３】
次に、この発明を実施するための形態について図を用いて説明する。図１、図２及び図３に扉用ロックハンドル装置（以下、単にハンドル装置という。）を示している。
【００１４】
図１及び図２に示すように、ハンドル装置Ｈは、扉に固着されるハンドルベース１と、ハンドルベース１に回転可能に挿通されるハンドル軸２に回動軸３を介してハンドルベース１に対して起伏回動可能に装着されるハンドルレバー４と、ハンドルベース１の背面側にハンドル軸２を介して回転可能に取り付けられ、ハンドルレバー４の回動操作によりボックス本体などの固定枠体側の受け金（図示省略）に対して係脱可能な止め金５とを備え、扉の開閉時にハンドルレバー４をハンドルベース１から引き起こして回動操作することにより止め金５を受け金に対して係脱し、扉を閉めた後はハンドルレバー４をハンドルベース１上に倒伏して収納する形式になっている。
【００１５】
また、このハンドル装置Ｈは、ハンドルレバー４に配設され、複数のダイヤル円盤６１の回転操作により、各ダイヤル円盤６１の外周面に付された符号を予め設定された解錠符号列とは異なる符号列にすることにより前進状態のラッチ６７が錠止位置でロックされて施錠状態となり、各ダイヤル円盤６１の各符号を解錠符号列に整列することにより前進状態のラッチ６７のロックが解除されてラッチ６７が錠止位置から後退可能な解錠状態になる形式のダイヤル錠６と、ハンドルレバー４に配設され、所定の鍵をロータ７１の鍵孔７０に挿入しロータ７１を施錠方向に回転操作することによりロック部材７３が錠止位置に前進されて施錠状態となり、鍵でロータ７１を解錠方向に回転操作することによりロック部材７３が錠止位置から後退されて解錠状態となる形式のシリンダー錠７とを備え、ハンドルベース１とハンドルレバー４との間でかつダイヤル錠６とシリンダー錠７との間に、ダイヤル錠６のラッチ６７及びシリンダー錠７のロック部材７３の錠止位置Ｐを取り、この錠止位置Ｐに、図２に示すように、ハンドルベース１側に固定されて設置され、ダイヤル錠６のラッチ６７に対向する側に、ハンドルレバー４の引き起こし操作又は倒伏操作によるハンドルレバー４の動きに伴って前進状態のラッチ６７を後退方向と前進方向に順次移動案内して係脱可能なラッチ係合部８１を有し、シリンダー錠７のロック部材７３に対向する側に、ロック部材７３の前進後退動作によりロック部材７３を係脱可能なロック部材係合部８４を有する、ダイヤル錠６及びシリンダー錠７に共通のロックパーツ８と、図３に示すように、ハンドルベース１側に基端部を枢支され、ばね部材により先端部側がシリンダー錠７方向に回動付勢されて設置され、ダイヤル錠６のラッチ６７に対向する側に、ラッチ６７が当接可能なラッチ係合部９１を有し、シリンダー錠７のロック部材７３に対向する側に、ロック部材７３の前進後退動作によりロック部材７３を係脱可能としかつハンドルレバー４の引き起こし操作又は倒伏操作によるハンドルレバー４の動きに伴って前進状態のロック部材７３の先端を基端部側から先端部方向へ又はその反対へ移動案内する一方、前進状態のロック部材７３の先端によりダイヤル錠６のラッチ６７に向けて漸次押圧されるロック部材係合部９２を有する、ダイヤル錠６及びシリンダー錠７に共通のロックレバー９と、２種類のオプション部品を備える。
【００１６】
このハンドル装置Ｈでは、ハンドルベース１は、正面に開口１０を有する縦に細長いボックス形に形成され、開口１０全周縁に外側に向けてフランジ１１が張り出されている。ハンドルベース１の上部には、扉の前面と直角に軸受孔１２が形成され、この軸受孔１２にハンドル軸２が前後方向に移動不能に嵌挿される。なお、ハンドル軸２の後端部は角軸部２ａになっている。このハンドルベース１は扉の縦長の受孔に扉正面側から嵌め込まれて、ハンドルベース１の背面側から嵌め合わされる断面Ｕ形状の座金板とビスによって扉に締付け固定される。
【００１７】
ハンドルレバー４はハンドルベース１の開口１０内に嵌合して収納可能に縦に細長い板状に形成され、また、ハンドルレバー４の下端部はハンドルベース１の下端部の下方に延ばされる。また、ハンドルレバー４の背面側には、上端部にハンドルレバー４をハンドルベース１側のハンドル軸２に枢着するための凹部４１が形成され、中間部にダイヤル錠収納スペース４２が凹状にハンドルレバー４の長さ方向に長く形成され、この収納スペース４２にダイヤル錠６が収納されてバックプレート４３により被着固定され、下端部側に略（角）筒形のシリンダー錠収納部４４が背面から後方に向けて突出形成されて、この収納部４４にシリンダー錠７が装着される。このハンドルレバー４は、背面側上端部の凹部４１に、ハンドル軸２の前端部が遊び空間を残して挿入され、扉の前面と平行な回動軸３によってハンドル軸２の前端部に枢着される。
このようにしてハンドルレバー４は、ハンドルベース１に向けて倒伏されると、ハンドルレバー４の主体部分の背面側部分がハンドルベース１の正面開口１０内に入り込み、また、ハンドルレバー４の下端部がハンドルベース１の下端部の前面側で下方に突出されて、ユーザーがハンドルレバー４をハンドルベース１から引き出して回転させるときに、ユーザーの指先が掛かり易いようになっている。そして、ハンドルレバー４をハンドルベース１に対して所定角度の斜めに引き起こし、この引き起こし状態において、ユーザーがハンドルレバー４を握って回動操作すると、ハンドルレバー４と一体にハンドル軸２が回転するようになっている。なお、止め金５、ダイヤル錠６、シリンダー錠７については後述する。
【００１８】
止め金５は横に長く角丸の略長方形に形成され、その一方端に近接してハンドルベース１のハンドル軸２の角軸２ａに対応して角形の軸穴５０が形成される。この止め金５はハンドルベース１の角軸２ａに回転角度制御板を介して嵌め込まれ、さらに座金が嵌め込まれて、ボルト３２によって締付け固定される。このようにしてハンドルレバー４を斜めに引き起こし所定の開方向に回すことにより、ハンドルレバー４とハンドル軸２の間の回動軸３を介してハンドル軸２を同方向に一体に回転して、止め金５を固定枠体側の受け金に係合し、ハンドルレバー４をこれとは反対の閉方向に回すと、回動軸３を介してハンドル軸２を同方向に一体に回転して、止め金５を固定枠体側の受け金から離脱するようになっている。
【００１９】
ダイヤル錠６は、中央に透孔を有し、外周面に数字などの符号が複数個等角度間隔に表示された複数のダイヤル円盤６１と、中央に軸孔を有し、各ダイヤル円盤６１の中央の透孔に嵌挿して積層される短筒状のカム円盤６２と、各カム円盤６２の中央の軸孔に挿通される丸棒状の中心軸６３と、複数のダイヤル円盤６１とカム円盤６２の積層体をシリンダー錠７の方向に移動付勢する圧縮コイルバネ６４と、各ダイヤル円盤６１の一部が嵌め込まれる矩形開口部を有するロックプレート６５と、複数のダイヤル円盤６１とカム円盤６２の積層体の外側で各積層体に沿って進退可能なスライダー６６と、このスライダー６６の先端に突出されるラッチ６７とを主要部品として備える。
【００２０】
この場合、各ダイヤル円盤６１の中央の透孔は小径孔部とその両側の大径孔部とからなる。各カム円盤６２は小径筒部と大径鍔部とからなる。定常状態では、圧縮コイルバネ６４の付勢によって、各カム円盤６２の小径筒部が各ダイヤル円盤６１の小径孔部に嵌挿され、一方の大径孔部から突き出される。各カム円盤６２の大径鍔部は、各ダイヤル円盤６１の他方の大径孔部に嵌められており、大径鍔部の端面には隣接のカム円盤６２の小径筒部の端面が当接される。また、各カム円盤６２の小径筒部の根元部周面には、左右各側に３個の連動突起が所定間隔で形成される。各ダイヤル円盤６１の小径孔部の内周面には、外周面の符号の数に等しい数の連動溝が等間隔に形成されており、連動突起が連動溝に係合することによって、各ダイヤル円盤６１と各カム円盤６２が一体的に結合される。ダイヤル錠６の中心軸６３は、バックプレート４３の立ち上がり壁板部に形成される軸孔と、バックプレート４３の仕切り壁板に形成される軸孔に挿入される。ダイヤル円盤６１とカム円盤６２の付勢用の圧縮コイルバネ６４は、中心軸６３に嵌められ、末端のカム円盤６２と立ち上がり壁板部との間で圧縮される。
また、各カム円盤６２の大径鍔部は周面の一部が扇形に切り欠かれて左右２個のＶ字状角部が形成され、これらがロックプレート６５に係合される。さらに、各ダイヤル円盤６１の外周面には複数の位置決め溝が符号の間に等間隔に形成され、ダイヤル円盤６１の姿勢保持用板バネ部材がバックプレート４３の側壁板部に固着されて、板バネ部材の先端突起部が位置決め溝に弾性係合される。
なお、各ダイヤル円盤６１と各カム円盤６２との位相は、各カム円盤６２を各ダイヤル円盤６１の軸方向に連動溝の軸方向長さ分だけ移動させて、連動溝と連動突起との係合を解除させ、その後、連動溝の設置間隔の整数倍の角度だけ相対回転させ、その後、各カム円盤６２を各ダイヤル円盤６１向かって移動させることによって適宜変更される。これによって解錠符号列の設定変更がなされる。
【００２１】
ロックプレート６５は下端部の片側一方が錠止端部になっていて、上下各端部の片側他方にそれぞれ支軸突起が形成される。一方の支軸突起はバックプレート４３の立ち上がり壁板部によって支持され、他方の支軸突起はバックプレート４３の仕切り壁板の透孔に支持される。また、このロックプレート６５には、矩形開口部の間の板部分にＶ字状の受溝が左右２個形成される。そして、ロックプレート６５は圧縮コイルバネによって、ロックプレート６５の錠止端部がスライダー６６の制止部に係合しない位置に跳ね上げられる。これにより、カム円盤６２のＶ字状角部がロックプレート６５の受溝に係合するときに、ロックプレート６５の錠止端部がスライダー６６の制止部に係合しない位置に位置決めされ、カム円盤６２のＶ字状角部がロックプレート６５の受溝から脱出して、両受溝間の山部にカム円盤６２の大径鍔部の円周面が当たることによって、ロックプレート６５は錠止端部にスライダー６６の制止部が当たる位置まで回動される。
【００２２】
スライダー６６は板部材で構成され、一方の側部の下端側にロックプレート６５の錠止端部と係合可能な制止部を有し、両側にガイド溝が形成され、バックプレート４３の主体部分と側壁板部にガイド突起が内向きに形成されて、スライダー６６がガイド溝とガイド突起との係合によりバックプレート４３に沿ってスライド可能に取り付けられ、各ダイヤル円盤６１と各カム円盤６２の積層体の外側でこの積層体に沿ってスライド可能に配設される。また、スライダー６６にはバネ受け突起が切り起こされ、バックプレート４３にバネ受け突起が切り起こされて、これらバネ受け突起間に圧縮コイルバネ形のバネ部材が嵌め込まれて、常態としてスライダー６６先端のラッチ６７がシリンダー錠７側に向けて前進付勢される。
【００２３】
このようにしてダイヤル錠６が構成され、ハンドルレバー４の背面側の収納スペース４２に組み込まれて、各ダイヤル円盤６１の円周の一部が各ダイヤル円盤６１の配列に対応してハンドルレバー４の正面と背面との間に切り欠き形成された複数の横長スロット４０から突出される。
【００２４】
シリンダー錠７は内部錠機構として公知のディスクタンブラ錠機構が使用され、ロータ７１の後端面に形成された偏心カム突起７２が、ロック部材７３の基端部に形成した横長スロットに嵌め込まれて、ロック部材７３がロータ７１の後端面上で垂直方向（図２、図３中、上下方向）に前進後退可能に取り付けられる。なお、シリンダー錠７の内部錠機構としては、ピンタンブラ錠機構などの他の錠機構を使用することもできる。このシリンダー錠７はハンドルレバー４下端部側の収納部４４に同芯的に装着され、ハンドルレバー４の正面にシリンダー錠７の鍵孔７０が表出され、ハンドルレバー４の背面側のシリンダー錠収納部４４の上面にロック部材７３のための挿通口４５が形成されてこの挿通口４５からロック部材７３が出没可能になっている。
【００２５】
このようなダイヤル錠６とシリンダー錠７のハンドルレバー４への組み込みに当たっては、ラッチ６７及びロック部材７３の錠止位置Ｐが、ハンドルベース１とハンドルレバー４との間でかつダイヤル錠６とシリンダー錠７との間に設定され、この錠止位置Ｐに所定のオプション部品スペースＳが設けられて、このスペースＳにオプション部品のロックパーツ８（図２参照）又はロックレバー９（図３参照）が選択的に取り付けられる。
この場合、ロックパーツ８は、図２に示すように、板状のブロックからなり、基端部がハンドルベース１への取付部で、先端部がラッチ６７の係脱側の端部になっている。ラッチ係合部８１は、先端部に断面略台形又は断面略三角形又はこれらの形状に近似する曲面状に形成され、ハンドルレバー４の引き起こし時又は倒伏時に前進状態のラッチ６７を後退方向と前進方向に順次移動案内可能なラッチガイド部８２と、ラッチガイド部８２の基端部側に隣接して略凹状に形成され、ハンドルレバー４の倒伏時に前進状態のラッチ６７が係合可能なラッチ係止部８３とからなる。ロック部材係合部８４は、ハンドルレバー４の倒伏時に前進状態のロック部材７３が嵌合可能なロック溝が形成されてなる。このようにしてロックパーツ８は基端部の取付部がオプション部品スペースＳ内でハンドルベース１の底面に固定軸を介して固定され、このオプション部品スペースＳ内にハンドルベース１の底面から略水平方向（扉に対して略直角）に延びるように取り付けられる。
また、ロックレバー９は、図３に示すように、板状のブロックからなり、基端部がハンドルベース１への枢支部で、先端部が回動側の端部になっている。ラッチ係合部９１は、ハンドルレバー４の倒伏時に前進状態のラッチ６７が当接可能な略平面状に形成されてなる。ロック部材係合部９２は、ハンドルレバー４の倒伏時に前進状態のロック部材７３が嵌合可能なロック溝９３と、ロック溝９３の先端部側の面に当該溝９３を拡開する方向に斜めに形成されて、前進状態のロック部材７３をハンドルレバー４の引き起こし時に先端部方向に案内し、ハンドルレバー４の倒伏時はその反対に案内するとともに、前進状態のロック部材７３でダイヤル錠６のラッチ６７に向けて押圧可能なカム傾斜面９４と、カム傾斜面９４に連続し先端部方向に向けてラッチ係合部９１から漸次離れる方向に斜めに形成されて、前進状態のロック部材７３をハンドルレバー４の引き起こし時に先端部方向に案内し、ハンドルレバー４の倒伏時はその反対に案内するとともに、前進状態のロック部材７３でダイヤル錠６のラッチ６７に向けて押圧可能な傾斜面９５とからなる。このようにしてロックレバー９は基端部の枢支部がオプション部品スペースＳ内でハンドルベース１の底面に枢支軸及びコイルばねを介して枢支され、このオプション部品スペースＳ内にハンドルベース１の底面から略水平方向に延び、垂直方向に、すなわちシリンダー錠７（の外周面）に向けて回動付勢されて取り付けられる。
【００２６】
ハンドル装置Ｈはこのような構成を備え、オプション部品スペースＳ（錠止位置Ｐ）にロックパーツ８を取り付けることにより、ハンドルベース１に収納されたハンドルレバー４をダイヤル錠６とシリンダー錠７とにより２重にロックし、ダイヤル錠６とシリンダー錠７の両方を解錠操作することによりハンドルレバー４のロックを解除する形式（以下、「ダブルロック形式」という。）に構成され、オプション部品スペースＳ（錠止位置Ｐ）にロックレバー９を取り付けることにより、ハンドルベース１とハンドルレバー４とをダイヤル錠６とシリンダー錠７によりロックし、ダイヤル錠６又はシリンダー錠７のいずれか一方を解錠操作することによりハンドルレバー４のロックを解除する形式（以下、「非常時解錠形式」という。）に構成され、いずれの形式の場合でも、既述のとおり、ハンドルベース１が扉の縦長の受孔に扉正面側から嵌め込まれ、ハンドルベース１の背面側から嵌め合わされる断面Ｕ形状の座金板とビスによって扉に締付け固定されて、扉に取り付けられる。
【００２７】
図４にこのハンドル装置Ｈがダブルロック形式に構成された場合の使用例を示している。
このハンドル装置Ｈでは、機器の所有者又は管理者から機器の使用を許されたユーザーに、当該所有者又は管理者から予めダイヤル錠６の解錠符号列を割り当てられ、シリンダー錠７を解錠するための鍵７４が手渡される。
ユーザーが、機器を使用するために扉を閉止、施錠するときは、扉を閉めて、図４（１）に示すように、ハンドルレバー４をハンドルベース１上に倒伏し、収納した状態から、ダイヤル錠６の各ダイヤル円盤６１を割り当てられた特定の解錠符号列以外の配列に回す。これにより、ダイヤル錠４のロックプレート６５が回動し、ロックプレート６５の錠止端部がスライダー６６の制止部が突き当たる位置になるため、スライダー６６の後退移動がロックプレート６５によって阻止され、ダイヤル錠６は施錠状態になる。この施錠状態においてハンドルレバー４をハンドルベース１から引き起こそうとしても、ダイヤル錠６の前進状態のラッチ６７がロックパーツ８のラッチ係止部８３内に係合しラッチガイド部８２に移動を規制されて、ハンドルレバー４の引き引き起こし方向の回転が阻止される。また、ユーザーはさらに、シリンダー錠７の鍵孔に鍵７４を差し込み、これを施錠方向に回すと、シリンダー錠７のローター７１の回転によりロック部材７３が前進（図４（１）中、上方へ移動）し、ロックパーツ８のロック部材係合部（ロック溝）８４に係合される。これにより、ハンドルレバー４を枢軸を中心としてハンドルベース１から引き起こし方向に回転しようとしても、シリンダー錠７の前進状態のロック部材７３がロックパーツ８のロック部材係合部（ロック溝）８４に係止されて、ハンドルレバー４の引き起こし方向の回転が阻止されることになり、ハンドルレバー４は２重にロック（ダブルロック）される。
反対に、ユーザーが、機器を使用するために扉を解錠、開放するときは、既述の扉の施錠状態から、シリンダー錠７の鍵孔に鍵７４を差し込み、解錠方向に回す。これにより、シリンダー錠７のローター７１が回転し、ロック部材７３が後退（図４（１）中、下方へ移動）してロックパーツ８のロック部材係合部（ロック溝）８４との係合が解除される。なお、ここでは、まずシリンダー錠７のロックが解除されたが、ダイヤル錠６がロック状態、すなわち、スライダー６６先端のラッチ６７がロックパーツ８のラッチ係合部８１に係合された状態で、スライダー６６の後退方向の動きがロックプレート６５により阻止されているので、ハンドルレバー４の引き起こし方向の回転が不能な状態に制御され、ハンドルレバーの引き起こし操作ができないようになっている。続いて、ダイヤル錠６の各ダイヤル円盤６１を割り当てられた特定の解錠符号列の配列に回す。これにより、ダイヤル錠６のロックプレート６５が回動して元の位置に戻り、ロックプレート６５の錠止端部がスライダー６６の制止部と係合しない位置に戻され、ダイヤル錠６の主体部分方向に向かってのスライダー６６の後退移動が阻止されない状態になり、ダイヤル錠６は解錠状態になる。ここでダイヤル錠６のロックが解除される。この解錠状態においてハンドルレバー４をハンドルベース１から引き起こし方向に回転操作すると、ダイヤル錠６のラッチ６７がロックパーツ８のラッチ係止部８３からラッチガイド部８２の案内により後退方向、前進方向に順次移動して、図４（２）に示すように、ラッチガイド部８２を乗り越えてロックパーツ８から離脱され、ハンドルレバー４が所定角度の斜めの状態に引き起こされる。そして、このハンドルレバー４をハンドル軸２周りに回動操作すると、ハンドルレバー４にハンドル軸２を介して接続された止め金５が機器収納ボックス本体などの固定枠体側の受金部から離脱し、扉の固定枠体に対する拘束が解除され、扉はハンドルレバー４をそのまま手前に引くことによって開放される。
このようにダブルロック形式のハンドル装置Ｈでは、ハンドルレバー４がハンドルベース１上に倒伏収納された状態で、ダイヤル錠６とシリンダー錠７とにより２重にロック（ダブルロック）され、ダイヤル錠６とシリンダー錠７の双方を解錠操作して、初めてハンドルレバー４のロックを解除することが可能となる。
【００２８】
このハンドル装置Ｈが非常時解錠形式に構成された場合の使用例を図３を参照しながら説明する。
このハンドル装置Ｈでは、機器の所有者又は管理者から機器の使用を許されたユーザーに、当該所有者又は管理者から予めダイヤル錠６の解錠符号列が割り当てられる。また、シリンダー錠７は通常施錠状態になり、例えば一般ユーザーよりも広い権限を有する管理者（以下、上級権限者という。）が、個別の解錠符号列を使用せずにハンドルレバー４を引き起こし操作できるように、シリンダー錠７の鍵７４が上級権限者に付与される。
ユーザーは、機器の扉を閉止、施錠するときは、扉を閉め、ダイヤル錠６の各ダイヤル円盤６１を割り当てられた特定の解錠符号列以外の配列に回す。これにより、ロックプレート６５が回動されて、ロックプレート６５の錠止端部が、スライダー６６の制止部が突き当たる位置に移動されて、スライダー６６の後退移動がロックプレート６５によって阻止され、このスライダー６６先端のラッチ６７に係合されるロックレバー９は拘束解除方向（図３中、上方向）に退避回転することができない。このダイヤル錠６の施錠状態により、ハンドルレバー４をハンドルベース１から引き起こし方向に回転させようとすると、ハンドルレバー４が僅かな角度回転してシリンダー錠７のロック部材７３の先端部がロックレバー９のカム傾斜面９４に押し付けられた段階で引き起こし方向の回転が阻止されることになる。
このようなダイヤル錠６の施錠状態でも、上級権限者に限り、個別の解錠符号列を使用せずにハンドルレバー４を引き起こし方向に回転操作することができる。既述のとおり、上級権限者は、シリンダー錠７の鍵７４が付与されているので、ユーザーがダイヤル錠６の解除符号列を忘れた場合や、ダイヤル錠６の解錠符号列を知らない部外者や侵入者によってダイヤル円盤６１が不正規角度に回され、ダイヤル錠６が施錠状態に無意図的に設定された場合などの緊急時に、上級権限者が鍵７４を使ってシリンダー錠７を解錠して、ハンドルレバー４を操作可能にし、扉を開けることができ、また、ダイヤル錠６の施錠状態をリセットすることができる。この場合、上級権限者は鍵７４をシリンダー錠７のロータ７１の鍵孔に挿入し、所要の鍵山コードによって内部錠機構を解除方向に駆動する。これによって回転可能になったロータ７１を鍵７４により解錠方向に回転操作すると、ロック部材７３がハンドルレバー４の挿通口４５からハンドルレバー４内部に引き込まれ、ロック部材７３の先端部とロックレバー９のロック溝９３との係合状態が解除される。上記したようにダイヤル錠６が施錠状態にあるときは、ロックプレート６５の錠止端部がスライダー６６の制止部が突き当たる位置にあるため、スライダー６６の後退移動はロックプレート６５によって阻止され、ロックレバー９は拘束解除方向（図３中、上方向）に退避回転することができないが、シリンダー錠７を鍵７４で解錠操作すると、ロック部材７３はロックレバー９に係合しない位置に退没するから、ハンドルレバー４はロックレバー９によって干渉されることがなく、ハンドルレバー４をハンドルベース１の正面開口１０から引き出すことができる。つまり、ダイヤル錠６の各ダイヤル円盤６１を解錠符号列に揃えずとも、シリンダー錠７を鍵７４で解錠するだけで、ハンドルレバー４のロックを解錠することができる。なお、ダイヤル錠６の施錠状態をリセットするときは、扉を開放した後、扉の背面側から適宜のリセット手段を操作することによって、不正規な施錠状態を解除し、復旧処理を行う。
反対に、ユーザーは、機器を使用するために扉を解錠、開放するときは、複数のダイヤル円盤６１の外周面の符号を、自分に割り当てられた解錠符号列となるように、適宜正逆回転する。
各ダイヤル円盤４の符号が割り当ての解錠符号列に配列されると、ダイヤル錠６は解錠状態となる。すなわち、ロックプレート５の錠止端部がスライダー６６の制止部と係合しない位置に移動され、ダイヤル錠６の主体部分方向に向かってのスライダー６６の後退移動が阻止されない状態になる。このとき、シリンダー錠６は施錠状態で、ロック部材７３の先端部がロックレバー９のロック溝９３に係合し、この係合状態がロックレバー９のバネ部材によるシリンダー錠７に向けての回転付勢によって維持され、これにより、ハンドルレバー４はハンドルベース１の正面開口１０内の倒伏、収納位置に拘束される。
この状態において、ハンドルレバー４をハンドルベース１から引き起こし方向に回転させると、ロック部材７３の先端部がロックレバー９のロック溝９３より連続するカム傾斜面９４を押すため、ロックレバー９は枢軸を中心として拘束解除方向（図３中、上方向）に退避回転し、ロックレバー９がスライダー６６先端のラッチ６７を押して（押し上げて）ラッチ６７を後退移動する。ハンドルレバー４がハンドルベース１から一定角度まで引き出された段階では、ロック部材７３の先端部によるロックレバー９への押圧がなくなるため、ロックレバー９は、バネ部材の付勢によって略水平の待機位置に復帰する。また、スライダー６６もバネ部材２２の付勢によって元の位置まで前進復帰する。
このハンドルレバー４の引き起こし回転時に、又は引き起こし回転後にハンドルレバー４を手で握り、ハンドル軸２周りに回動操作すると、ハンドルレバー４にハンドル軸２を介して接続された止め金５が機器収納ボックス本体などの固定枠体側の受金部から離脱し、扉の固定枠体に対する拘束が解除され、扉はハンドルレバー４をそのまま手前に引くことによって開放される。
このように非常時解錠形式のハンドル装置Ｈでは、ハンドルレバー４がハンドルベース１上に倒伏収納された状態で、ダイヤル錠６とシリンダー錠７とによりロックされ、通常、ダイヤル錠６の符号を解錠符号列に揃えれば、ハンドルレバー４のロックを解除して、ハンドルレバー４の操作が可能となり、シリンダー錠７は符号忘れなどの非常時の施錠、解錠に用いることができる。また、ダイヤル錠６又はシリンダー錠７の一方のみをシングルロックとして使用することが可能である。
【００２９】
以上説明したように、このハンドル装置Ｈによれば、扉の開閉時にハンドルレバー４をハンドルベース１から引き起こして回動操作することにより止め金５を固定枠側の受け金に対して係脱し、扉を閉めた後はハンドルレバー４をハンドルベース１上に倒伏して収納する形式のハンドル装置において、ハンドルレバー４にダイヤル錠６とシリンダー錠７とを配設し、ハンドルベース１とハンドルレバー４との間でかつダイヤル錠６とシリンダー錠７との間に、ダイヤル錠６のラッチ６７及びシリンダー錠７のロック部材７３の錠止位置Ｐを取り、この錠止位置Ｐにロックパーツ８をハンドルベース１側に固定して設置することにより、ハンドルベース１に収納されたハンドルレバー４をダイヤル錠６とシリンダー錠７とにより２重にロックし、ダイヤル錠６とシリンダー錠７の両方を解錠操作することによりハンドルレバー４のロックを解除する形式に構成するようにしたので、ダイヤル錠６及びシリンダー錠７に簡単な形状、構造のロックパーツ８を用いるだけで、比較的容易に、確実なダブルロック機能を有するハンドル装置を実現することができる。そして、このようにしてダイヤル錠６とシリンダー錠７とを関連付けてハンドルレバー４に組み込むことで、装置全体を薄型に構成しても極めて多数の鍵違いを容易に得ることができ、また、セキュリティの強化を目的として、ダブルロック機能の錠システムの提供（異なる２個の鍵を同時に操作しないと対象物を解錠できないこと）の要望にも対応することができる。
【００３０】
また、このハンドル装置Ｈによれば、扉の開閉時にハンドルレバー４をハンドルベース１から引き起こして回動操作することにより止め金５を固定枠側の受け金に対して係脱し、扉を閉めた後はハンドルレバー４をハンドルベース１上に倒伏して収納する形式のハンドル装置において、ハンドルレバー４にダイヤル錠６とシリンダー錠７とを配設し、ハンドルベース１とハンドルレバー４との間でかつダイヤル錠６とシリンダー錠７との間に、ダイヤル錠６のラッチ６７及びシリンダー錠７のロック部材７３の錠止位置Ｐを取り、この錠止位置Ｐにオプション部品のロックパーツ８をハンドルベース１側に固定して設置することにより、ハンドルベース１に収納されたハンドルレバー４をダイヤル錠６とシリンダー錠７とにより２重にロックし、ダイヤル錠６とシリンダー錠７の両方を解錠操作することによりハンドルレバー４のロックを解除する形式に構成し、この錠止位置Ｐにオプション部品のロックレバー９を、その基端部をハンドルベース１側に枢支し、先端部側をばね部材によりシリンダー錠７方向に回動付勢して設置し、ハンドルベース１とハンドルレバー４とをダイヤル錠６とシリンダー錠７によりロックし、ダイヤル錠６又はシリンダー錠７のいずれか一方を解錠操作することによりハンドルレバー４のロックを解除する形式に構成するようにしたので、一つのハンドル装置に、最少のオプション部品を変更するだけで、ダブルロック機能とシングルロック機能を選択的に持たせることができ、これによりハンドル装置全体の多くの部品を共通化して、コストの低減を図ることができる。そして、このようにしてダイヤル錠６とシリンダー錠７とを関連付けてハンドルレバー４に組み込むことで、装置全体を薄型に構成しても極めて多数の鍵違いを容易に得ることができ、また、セキュリティの強化を目的として、ダブルロック機能の錠システムの提供（異なる２個の鍵を同時に操作しないと対象物を解錠できないこと）の要望と、キャビネット管理の容易化を目的として、マスターロック機能の錠システムの提供（マスターキーとして同一番号に設定された鍵を管理者が管理し、管理者又は管理者から委託を受けた者が当該鍵によって多数のすべてのキャビネットを開放できること）の要望に選択的に対応することができる。
【符号の説明】
【００３１】
Ｈ  扉用ロックハンドル装置
１  ハンドルベース
１０  開口
１１  フランジ
１２  軸受孔
２  ハンドル軸
２ａ  角軸
３  回動軸
３２  ボルト
４  ハンドルレバー
４０  横長スロット
４１  凹部
４２  ダイヤル錠収納スペース
４３  バックプレート
４４  シリンダー錠収納部
４５  挿通口
５  止め金
５０  軸穴
６  ダイヤル錠
６１  ダイヤル円盤
６２  カム円盤
６３  中心軸
６４  圧縮コイルバネ
６５  ロックプレート
６６  スライダー
６７  ラッチ
７  シリンダー錠
７０  鍵孔
７１  ロータ
７２  偏芯カム突起
７３  ロック部材
７４  鍵
Ｐ  錠止位置
Ｓ  オプション部品スペース
８  ロックパーツ
８１  ラッチ係合部
８２  ラッチガイド部
８３  ラッチ係止部
８４  ロック部材係合部
９  ロックレバー
９１  ラッチ係合部
９２  ロック部材係合部
９３  ロック溝
９４  カム傾斜面
９５  傾斜面
【図１】
0005886808.tif 000002
【図２】
0005886808.tif 000003
【図３】
0005886808.tif 000004
【図４】
0005886808.tif 000005
【図５】
0005886808.tif 000006